(57)【要約】【課題】両面再生タイプのＤＶＤを再生する一対の光ピックアップの調整を簡素化し迅速に行う。【解決手段】一方の光ピックアップから光ビームを入射される第１のディスク基板２側の第１の信号記録層５と、他方の光ピックアップから光ビームを入射される第２のディスク基板４側の第２の信号記録層７とが設けられ、各信号記録層５，７には、記録トラックが同心円状に設けられ、第２の信号記録層５のデータの記録方向に対して、第２の信号記録層７のデータが逆方向に記録されている。【選択図】　図１
2004039024.tif 000002
【特許請求の範囲】
【請求項１】
両面が信号記録面とされ、各信号記録面には記録トラックが同心円状に設けられ、各信号記録面に対して各面側からレーザ光を照射される光ピックアップの調整用光ディスク。
【請求項２】
一方の信号記録面に同心円状に設けられた記録トラックには、他方の信号記録面に同心円状に設けられた記録トラックのデータの記録方向に対して逆方向にデータが順に記録されている請求項１記載の光ピックアップの調整用光ディスク。
【請求項３】
両面が信号記録面とされ、各信号記録面には記録トラックが同心円状に設けられ、上記各信号記録面に対して各面側からそれぞれレーザ光を照射される調整用光ディスクと、
上記調整用光ディスクを回転駆動させる回転駆動手段と、
光源からレーザ光を出射し、上記レーザ光を集光レンズにより上記調整用光ディスクの対応する信号記録面に集光し、上記調整用光ディスクで反射された戻り光を受光部により受光して受光強度に応じた信号をそれぞれ出力する互いに対向する一組の光ピックアップを上記調整用光ディスクの径方向にそれぞれ送り動作させる送り手段と、
上記受光部が上記調整用光ディスクからの戻り光を受光して受光強度に応じて出力する信号に基づき、上記光ピックアップの光学特性をそれぞれ調整する調整手段とを備える光ピックアップの調整装置。
【請求項４】
上記調整用光ディスクは、一方の信号記録面に同心円状に設けられた記録トラックが、他方の信号記録面に同心円状に設けられた記録トラックのデータの記録方向に対して逆方向に順にデータが記録されている請求項３記載の光ピックアップの調整装置。
【請求項５】
上記各光ピックアップが、上記光源から出射したレーザ光を上記集光レンズにより上記調整用光ディスクの対応する各信号記録面に同時に集光し、上記調整用光ディスクからの戻り光を上記受光部でそれぞれ受光するとき、上記調整手段は、上記各光ピックアップの上記受光部が受光強度に応じてそれぞれ出力する信号に基づき、上記各光ピックアップ部の光学特性を同時に調整する請求項４記載の光ピックアップの調整装置。
【請求項６】
両面が信号記録面とされ、各信号記録面には記録トラックが同心円状に設けられ、各信号記録面に対して各面側からレーザ光を照射される調整用光ディスクを回転駆動するステップと、
上記調整用光ディスクの各信号記録面にそれぞれ対応する互いに対向する一組の光ピックアップが、光源からレーザ光を出射して集光レンズにより上記調整用光ディスクの対応する各信号記録面にレーザ光を集光するステップと、
上記調整用光ディスクからの戻り光を上記各光ピックアップの受光部により受光して受光強度に応じて出力する信号に基づき、上記各光ピックアップを所望の記録トラック上に送り動作するステップと、
上記信号に基づき上記各光ピックアップの光学特性をそれぞれ調整するステップとを有する光ピックアップの調整方法。
【請求項７】
上記調整用光ディスクは、一方の信号記録面に同心円状に設けられた記録トラックが、他方の信号記録面に同心円状に設けられた記録トラックのデータの記録方向に対して逆方向にデータが順に記録されている請求項６記載の光ピックアップの調整方法。
【請求項８】
上記レーザ光を集光するステップでは、上記各光ピックアップの上記光源が出射したレーザ光を集光レンズによりそれぞれ対応する上記調整用光ディスクの各信号記録面に同時に集光し、
上記光学特性を調整するステップでは、上記調整用光ディスクからの戻り光を上記受光部がそれぞれ受光して受光強度に応じて出力する上記信号に基づき、上記各光ピックアップの光学特性を同時に調整する請求項７記載の光ピックアップの調整方法。
【発明の詳細な説明】
【０００１】
【発明の属する技術分野】
本発明は、両面に信号記録層を有する光ディスクの記録再生を行うことができる光ピックアップの調整に用いる光ピックアップの調整用光ディスク、光ピックアップの調整装置及びこの調整装置を用いた光ピックアップの調整方法に関する。
【０００２】
【従来の技術】
光記録媒体として、ＣＤ（Ｃｏｍｐａｃｔ　Ｄｉｓｋ）よりも記録密度を高めたＤＶＤ（Ｄｉｇｉｔａｌ　Ｖｅｒｓａｔｉｌｅ　Ｄｉｓｋ）がある。ＤＶＤには、データが記録される記録層を複数有し、例えばディスクの各面側からレーザ光を照射されることでデータが再生されるようになっている両面再生タイプのものがある。このようなＤＶＤは、記録面を有する２枚の基板を、接着剤を介して貼り合せた構造となっている。
【０００３】
上述したような両面再生タイプのＤＶＤを記録再生する装置としては、各面に対応する一対の光ピックアップを備えて、ＤＶＤの一方の面と他方の面とに、それぞれ対応する光ピックアップからレーザ光を照射してＤＶＤの各面の再生を行うものがある。
【０００４】
一対の光ピックアップは、それぞれ、ＤＶＤ用の６３５〜６５０ｎｍの光ビームを出射する光源、光源より出射された光ビームを集光する対物レンズ、対応するＤＶＤの信号記録面で反射された戻りの光ビームを検出する光検出器、対物レンズをフォーカシング方向とトラッキング方向に駆動変位する対物レンズ駆動部等を備えている。
【０００５】
対物レンズ駆動部は、対物レンズを保持するレンズホルダと、このレンズホルダを弾性支持部材でフォーカシング方向とトラッキング方向に変位可能に支持するホルダ支持部材と、対物レンズを保持したレンズホルダをフォーカシング方向に駆動変位するフォーカシング駆動部と、対物レンズを保持したレンズホルダをトラッキング方向に駆動変位するトラッキング駆動部とを備えている。
【０００６】
フォーカシング駆動部は、フォーカシングコイルとフォーカシングマグネットとからなり、フォーカシングコイルに流れる電流とフォーカシングマグネットにより発生された磁界との作用により弾性支持部材に保持されたレンズホルダを対物レンズの光軸方向であるフォーカシング方向に駆動変位する。また、トラッキング駆動部は、トラッキングコイルとトラッキングマグネットとからなり、トラッキングコイルに流れる電流とトラッキングマグネットにより発生された磁界との作用により弾性支持部材に支持されたレンズホルダを対物レンズの光軸と直交する方向に駆動変位する。
【０００７】
以上のような構成とされた光ピックアップは、ＤＶＤの一方の面を再生する際に、一方の光ピックアップにおいて光源より出射された光ビームがＤＶＤの一方の面の信号記録面で合焦するようにフォーカシング駆動部で対物レンズを駆動変位し、また、トラッキング駆動部で対物レンズをトラッキング方向に駆動変位することによって、光ビームを走査し、ＤＶＤの一方の面に記録された情報信号の読み出しを行う。
【０００８】
また、このような光ピックアップは、ＤＶＤの他方の面を再生する際に、他方の光ピックアップにおいて光源より出射された光ビームがＤＶＤの他方の面の信号記録面で合焦するようにフォーカシング駆動部で対物レンズを駆動変位し、また、トラッキング駆動部で対物レンズをトラッキング方向に駆動変位することによって、光ビームを走査し、ＤＶＤの他方の面に記録された情報信号の読み出しを行う。
【０００９】
以上のように構成された光ピックアップは、更には、記録及び／又は再生装置に組み付けるためのベースユニットにそれぞれ取り付けられる。このベースユニットは、記録及び／又は再生装置の筐体に組み付けられるベースを有し、このベースに、光ピックアップが組み付けられるスライド部材と、光ピックアップが組み付けられたスライド部材を光ディスクの径方向に送り操作する送り機構と、光ディスクを回転駆動するディスク回転駆動機構とが設けられてなる。
【００１０】
ところで、組立工程において組み立てられた光ピックアップは、それぞれ、対物レンズと光源との相対的位置と対物レンズの光軸の傾きの調整が行われる。この調整は、例えば各光ピックアップがベースユニットに組み付けられた後に行うようにし、光ピックアップのベースユニットへの組立前に行う調整に比べて、光ピックアップのベースユニットへの組立精度に依存することなく、対物レンズと光源との相対的位置と対物レンズの光軸の傾きの調整を行うことができるようにしている。
【００１１】
この調整は、光ピックアップ毎にＤＶＤの対応する記録面に対して行われる。具体的には、先ず、ＤＶＤ用の調整用光ディスクをディスク回転駆動機構に装着し、このＤＶＤ用の調整用光ディスクを所定の方向に回転し、一方の光ピックアップの光学的特性が最適値となるように、対物レンズと光源の相対的位置の調整を行う。そして、調整用光ディスクのＴＯＣ（Ｔａｂｌｅ　Ｏｆ　Ｃｏｎｔｅｎｔｓ）情報を読み出して、調整用光ディスクの所定の箇所にアクセスし、調整用光ディスクを用いて、対物レンズの傾きの調整が行われる。
【００１２】
次いで、ＤＶＤ用の調整用光ディスクの回転を停止させて、調整用光ディスクを所定の方向とは逆方向に回転し、他方の光ピックアップの光学的特性が最適値となるように、対物レンズと光源の相対的位置の調整を行う。そして、調整用光ディスクのＴＯＣ情報を読み出して、調整用光ディスクの所定の箇所にアクセスし、調整用光ディスクを用いて、対物レンズの傾きの調整が行われる。
【００１３】
ここで、調整用光ディスクは、両面にＤＶＤと同じ物理フォーマットで８−１６変調されたデータがスパイラル状に記録されている。
【００１４】
【発明が解決しようとする課題】
以上のように、両面再生タイプのＤＶＤ等の光ディスクの記録再生に用いる一対の光ピックアップの調整では、この光ディスクを再生する際の光学特性を調整するとき、調整用光ディスクをディスク回転駆動機構に装着して所定の方向に回転し、光ディスクの一方の面を再生する際の一方の光ピックアップにおける光学特性を調整し、一旦、調整用光ディスクの回転を停止した後に逆回転させて光ディスクの他方の面を再生する際の他方の光ピックアップにおける光学特性を調整する必要がある。このような調整は、調整用光ディスクの回転を停止させて逆回転をさせる作業が必要となるため、一対の光ピックアップの調整作業の効率化を図ることが困難であった。
【００１５】
また、この調整は、光ピックアップを送り操作するためのスライド部材と対物レンズを保持するレンズホルダ若しくはホルダ支持部材が高精度に保持された状態で調整装置の光源調整機構により光源若しくは光学系が保持されて調整が行われる。このとき、スライド部材、ホルダ支持部材、光源は、それぞれ別々に保持されており、これら各部を相対的に微少量だけ移動することにより調整されるため、光ピックアップ全体を調整用光ディスクの内外周方向に送り動作することが困難である。
【００１６】
しかしながら、上述したように何れの調整用光ディスクも、データがスパイラル状に記録されている。したがって、調整時に、調整用光ディスクを回転させた状態で、調整用光ディスクの記録トラックからデータを読み取るときに、調整用光ディスクの回転に伴って対物レンズが徐々に外周方向に移動する。これによって、調整時に、光ピックアップの対物レンズが調整用光ディスクの外周方向に移動し、対物レンズは、視野振りゼロの状態から視野振りした状態に変化するため、光源の中心等の光学的な設計中心（以下、光学中心と称する。）に対して対物レンズの光軸が位置ずれしてしまう。この調整方法は、光学中心に対して対物レンズの光軸がずれることによって、光学的な特性が劣化して、検出される再生信号のジッター値等も劣化するため、例えば対物レンズの光軸を傾斜させて再生信号の変化を測定し、最良点に合わせることにより対物レンズの光軸の傾斜を調整する場合等に調整することが非常に困難となる。
【００１７】
このような問題点を解決する方法として、対物レンズの光軸が光学中心に対して所定の位置ずれが生じたときに、送り機構を動作させて、トラッキングサーボを外して、位置ずれ量だけ調整用光ディスクの内周側に送り動作（以下、トラックジャンプという。）させることによって、対物レンズの光軸が光学中心に対して常に所定の位置ずれ量の範囲内に収まるようにする方法がある。
【００１８】
しかしながら、この方法は、対物レンズの光軸と光学中心とが常に移動しているため、調整時に真の値を検出することが困難である。また、この方法は、トラッキングサーボがかかるまでの時間が短い一方、例えばジッター検出器等の測定器によって安定した真の値が測定されるために時間を要することから、トラックジャンプ後に、実際に対物レンズの光軸の位置等を調整することができる時間が非常に短くなり、調整が難しくなってしまう。更には、この方法は、トラックジャンプの間隔を広くすると、対物レンズの光軸の位置ずれが更には大きくなってしまう。
【００１９】
本発明は、上述した課題に鑑みてなされたものであり、その目的は、両面再生タイプの光ディスクの記録再生を行うことができる一対の光ピックアップの調整を簡素化し迅速に行うことができるようにする光ピックアップの調整用光ディスクを提供することにある。
【００２０】
また、本発明の目的は、調整装置の構成を簡素化することができる光ピックアップの調整用光ディスクを提供することにある。
【００２１】
【課題を解決するための手段】
本発明に係る光ピックアップの調整用光ディスクは、上述した課題を解決すべく、両面が信号記録面とされ、各信号記録面には記録トラックが同心円状に設けられ、各信号記録面に対して各面側からレーザ光を照射されることを特徴とする。
【００２２】
以上のように構成された光ピックアップの調整用光ディスクは、光ピックアップの調整用光ディスクの回転を停止することなく、一対の光ピックアップを調整することができる。
【００２３】
また、本発明に係る光ピックアップの調整装置は、上述した課題を解決すべく、両面が信号記録面とされ、各信号記録面には記録トラックが同心円状に設けられ、上記各信号記録面に対して各面側からそれぞれレーザ光を照射される調整用光ディスクと、調整用光ディスクを回転駆動させる回転駆動手段と、光源からレーザ光を出射し、レーザ光を集光レンズにより調整用光ディスクの対応する信号記録面に集光し、調整用光ディスクで反射された戻り光を受光部により受光して受光強度に応じた信号をそれぞれ出力する互いに対向する一組の光ピックアップを調整用光ディスクの径方向にそれぞれ送り動作させる送り手段と、受光部が調整用光ディスクからの戻り光を受光して受光強度に応じて出力する信号に基づき、光ピックアップの光学特性をそれぞれ調整する調整手段とを備えることを特徴とする。
【００２４】
以上のように構成された光ピックアップの調整装置は、光ピックアップの調整用光ディスクの回転を停止することなく、一対の光ピックアップを調整することができる。
【００２５】
更に、本発明に係る光ピックアップの調整方法は、上述した課題を解決すべく、両面が信号記録面とされ、各信号記録面には記録トラックが同心円状に設けられ、各信号記録面に対して各面側からレーザ光を照射される調整用光ディスクを回転駆動するステップと、調整用光ディスクの各信号記録面にそれぞれ対応する互いに対向する一組の光ピックアップが、光源からレーザ光を出射して集光レンズにより調整用光ディスクの対応する各信号記録面にレーザ光を集光するステップと、調整用光ディスクからの戻り光を各光ピックアップの受光部により受光して受光強度に応じて出力する信号に基づき、各光ピックアップを所望の記録トラック上に送り動作するステップと、信号に基づき各光ピックアップの光学特性をそれぞれ調整するステップとを有することを特徴とする。
【００２６】
以上のようなステップで構成された光ピックアップの調整方法は、光ピックアップの調整用光ディスクの回転を停止することなく、一対の光ピックアップを調整することができる。
【００２７】
【発明の実施の形態】
以下、本発明が適用された光ピックアップの調整用光ディスク、この調整用光ディスクを用いる光ピックアップの調整装置及びこの調整装置を用いる光ピックアップの調整方法について、図面を参照して説明する。
【００２８】
先ず、図１に示すように、光ピックアップの調整用光ディスク１は、両面再生タイプのＤＶＤを再生することができる一対の光ピックアップの調整に用いる調整用光ディスクであり、厚さが０．６ｍｍの光透過性を有する第１のディスク基板２と、同じく厚さが０．６ｍｍの光透過性を有する第２のディスク基板３とが接着剤により貼り合わせて形成されている。
【００２９】
第１のディスク基板２には、張り合わせ面側に、第１の信号記録層５が設けられている。この第１の信号記録層５は、一方の光ピックアップの調整を行うときに用いるものであり、第１の信号の読み取り面２ａ側から０．６ｍｍの所に設けられている。また、この第１の信号記録層５は、ＤＶＤとレーザ光の反射条件が略一致するように、８−１６変調されたデータが、トラックピッチが０．７４μｍで、ピット長が０．４〜１．８７μｍのピットパターンで記録されている。ここで、この第１の信号記録層５に設けられる記録トラックＴ１は、通常の光ディスクの記録トラックが内周側から外周側にスパイラル状に形成されているのに対して、図２に示すように、第１の信号の読み取り面２ａ側から見て、同心円状に形成され、一方の光ピックアップの調整時に一方の光ピックアップが径方向に移動しないようになっている。なお、この第１の信号記録層５上には、反射膜、保護膜等が形成されている。
【００３０】
また、第２のディスク基板３には、張り合わせ面側に、第２の信号記録層７が設けられている。この第２の信号記録層７は、他方の光ピックアップの調整に用いるものであり、第２の信号の読み取り面３ａ側がら０．６ｍｍの所に設けられている。また、第２の信号記録層７は、ＤＶＤとレーザ光の反射条件が略一致するように、８−１６変調されたデータが、トラックピッチが０．７４μｍで、ピット長が０．４〜１．８７μｍのピットパターンで記録されている。ここで、この第２の信号記録層７に設けられる記録トラックＴ２は、通常の光ディスクの記録トラックが内周側から外周側にスパイラル状に形成されているのに対して、図３に示すように、第２の信号の読み取り面３ａ側から見て、同心円状に形成され、他方の光ピックアップの調整時に他方の光ピックアップが径方向に移動しないようになっている。なお、この第２の信号記録層７上には、反射膜、保護膜等が形成されている。
【００３１】
第２のディスク基板３には、図２に示すように第１のディスク基板２に対して第１の信号記録層５に同心円状に記録されたデータの向きに対して、図３に示すように第２の信号記録層７に同心円状に逆方向にデータが記録されている。すなわち、この調整用光ディスク１は、第１のディスク基板２における第１の信号記録層５を再生する所定の方向に回転することで、第２のディスク基板３における第２の信号記録層７の回転方向が所定の方向に対して逆回転となるが、データの向きが逆方向に記録されているため、回転を止めることなく他方の光ピックアップで第２の信号記録層７に記録されたデータが読み出し可能となる。
【００３２】
ここで、ＤＶＤにおいて８−１６変調方式が用いられているが、この調整用光ディスク１は、一対の光ピックアップの調整用の光ディスクであることから、データを基本的に復調する必要がなく、そのため、第１の信号記録層５及び／又は第２の信号記録層７には、ＣＤと同じく８−１４変調されたデータを記録するようにしてもよい。すなわち、調整用光ディスク１では、変調方式として、変調後のビット数の少ない変調方式、すなわち８−１４変調を用いることで、復調処理等の処理を軽くすることができる。
【００３３】
なお、第１の信号記録層５及び第２の信号記録層７には、エラー訂正符号として、ＤＶＤで採用されているリードソロモン積符号（ＲＳ−ＰＣ：Ｒｅｅｄ　ＳｏｌｏｍｏｎＰｒｏｄｕｃｔ　Ｃｏｄｅ）を付加したデータを記録するようになっている。また、エラー訂正符号としてクロスインターリーブドソロモン符号（ＣＩＲＣ：Ｃｒｏｓｓ　Ｉｎｔｅｒｌｅａｖｅ　Ｒｅｅｄ−Ｓｏｌｏｍｏｎ　Ｃｏｄｅ）を付加するようにしてもよい。
【００３４】
ところで、図４に示すように、調整用光ディスク１は、第１の信号記録層５に記録された調整用データの第１の記録領域８と第２の信号記録層７に記録された調整用データの第２の記録領域９とが、重なり合うように設けられている。すなわち、調整用光ディスク１は、第１の記録領域８と第２の記録領域９とを、一対の光ピックアップにおけるそれぞれの対物レンズのトラッキング制御を同一とすることができる。すなわち、一方の光ピックアップがオントラックである場合に、他方の光ピックアップもオントラックとすることができる。
【００３５】
このように、調整用光ディスク１は、第１の記録領域８と第２の記録領域９とが重なり合うように設けられていることにより、他方の光ピックアップが一方の光ピックアップと同一のトラッキング制御されることで、他方の光ピックアップをオントラックとすることができ、一対の光ピックアップの調整を効率良く行うことができるようになる。
【００３６】
また、調整用光ディスク１に設けられる第１の記録領域８と第２の記録領域９とは、図５に示すように、互いが重なり合わないように設けるようにしてもよい。
【００３７】
以上のように、調整用光ディスク１は、第１の信号記録層５と第２の信号記録層７にそれぞれ設けられる記録トラックＴ１，Ｔ２が同心円状に設けられ、第２の信号記録層７には第１の信号記録層５に対して逆向きに調整用データが記録されることから、調整用光ディスク１の回転を停止することなく、連続して一対の光ピックアップの調整を行うことができる。また、調整用光ディスク１は、少なくとも何れか一方の光ピックアップにより、対応する信号記録層の再生を行っているときに、この光ピックアップを調整用光ディスク１の径方向に移動させる必要が無くなり、効率良く光ピックアップの調整を行うことができるようになる。
【００３８】
次に、上述した調整用光ディスク１を用いて調整される一対の光ピックアップの構成について図６乃至図１０を参照して説明する。この光ピックアップは、例えば、ＤＶＤの記録及び／又は再生を行うことができる。
【００３９】
第１の光ピックアップ１１ａは、図６に示すように、上述の調整用光ディスク１における第１の信号記録層５に対向するように設けられ、第１の信号記録層５の記録トラックに記録されたデータを再生するようになっている。また、第２の光ピックアップ１１ｂは、上述の調整用光ディスク１における第２の信号記録層７に対向するように設けられ、第２の信号記録層７の記録トラックに記録されたデータを再生するようになっている。
【００４０】
第１の光ピックアップ１１ａは、各種の制御装置が搭載されるベース２２ａに組み付けられ、第２の光ピックアップ１１ｂは、各種の制御装置が搭載されるベース２２ｂに組みつけられている。そして、ベース２２ａ及びベース２２ｂは、ベース支持部材２２ｃを介して接続固定されている。
【００４１】
この第１の光ピックアップ１１ａは、図７に示すように、ＤＶＤ用の波長が６３５〜６５０ｎｍの光ビームを出射する半導体レーザ等の光源１２ａと、光源１２ａより出射された光ビームを調整用光ディスク１の第１の信号記録層５にそれぞれ集光する対物レンズ１３ａと、調整用光ディスク１の第１の信号記録層５で反射された戻りの光ビームをそれぞれ受光する光検出器１４ａと、光源１２ａより出射された光ビームをそれぞれ対物レンズ１３ａに導くと共に調整用光ディスク１で反射された戻りの光ビームを光検出器１４ａに導くビームスプリッタ１５ａと、対物レンズ１３ａをフォーカシング方向とトラッキング方向に駆動変位する対物レンズ駆動部１６ａとを備えている。
【００４２】
また、第２の光ピックアップ１１ｂは、図７に示すように、ＤＶＤ用の波長が６３５〜６５０ｎｍの光ビームを出射する半導体レーザ等の光源１２ｂと、光源１２ｂより出射された光ビームを調整用光ディスク１の第２の信号記録層７にそれぞれ集光する対物レンズ１３ｂと、調整用光ディスク１の第２の信号記録層７で反射された戻りの光ビームをそれぞれ受光する光検出器１４ｂと、光源１２ｂより出射された光ビームをそれぞれ対物レンズ１３ｂに導くと共に調整用光ディスク１で反射された戻りの光ビームを光検出器１４ｂに導くビームスプリッタ１５ｂと、対物レンズ１３ｂをフォーカシング方向とトラッキング方向に駆動変位する対物レンズ駆動部１６ｂとを備えている。
【００４３】
対物レンズ１３ａ，１３ｂは、例えばホログラムがレンズに一体的に形成されたものであり、第１の信号記録層５，第２の信号記録層７に光ビームを照射するとき、透過光を第１の信号記録層５，第２の信号記録層７にそれぞれ合焦するようにする。この対物レンズ１３ａ，１３ｂは、レンズホルダ１７ａ，１７ｂによってそれぞれ保持され、このレンズホルダ１７ａ，１７ｂは、弾性支持部材を介してホルダ支持部材１８ａ，１８ｂにそれぞれ取り付けられている。対物レンズ１３ａ，１３ｂを保持したレンズホルダ１７ａ，１７ｂは、弾性支持部材に支持されることで、対物レンズ１３ａ，１３ｂの光軸方向であるフォーカシング方向と対物レンズ１３ａ，１３ｂの光軸方向と直交するトラッキング方向に変位可能な状態で、ホルダ支持部材１８ａ，１８ｂに支持されることになる。
【００４４】
また、対物レンズ駆動部１６ａ，１６ｂは、対物レンズ１３ａ，１３ｂをフォーカシング方向に駆動変位するフォーカシング駆動部と対物レンズ１３ａ，１３ｂをトラッキング方向に駆動変位するトラッキング駆動部とから構成されており、各駆動部は、レンズホルダ１７ａ，１７ｂ側に取り付けられるコイルとホルダ支持部材１８ａ，１８ｂ側に取り付けられるマグネットを備えている。各駆動部は、コイルに流れる電流とマグネットにより発生される磁界との作用によって、レンズホルダ１７ａ，１７ｂに保持されている対物レンズ１３ａ，１３ｂを、フォーカシング方向とトラッキング方向に駆動変位する。かくして、光源１２ａ，１２ｂより出射された光ビームは、対物レンズ駆動部１６ａ，１６ｂ等によって走査され、調整用光ディスク１の第１の信号記録層５，第２の信号記録層７にそれぞれ合焦され、第１の信号記録層５，第２の信号記録層７で反射された戻りの光ビームをそれぞれ光検出器１４ａ，１４ｂで検出することによって、確実に情報信号の読み出しを行うことができるようになる。
【００４５】
以上のように構成された第１の光ピックアップ１１ａは、更には、図８に示すように、記録及び／又は再生装置に組み付けるための第１のベースユニット２１ａに取り付けられる。この第１のベースユニット２１ａは、記録及び／又は再生装置の筐体に組み付けられるベース２２ａを有し、このベース２２ａに、第１の光ピックアップ１１ａが組み付けられるスライド部材２３ａと、第１の光ピックアップ１１ａが組み付けられたスライド部材２３ａを光ディスクの径方向に送り操作する送り機構２４ａと、光ディスクを回転駆動するディスク回転駆動機構２５とが設けられてなる。
【００４６】
また、以上のように構成された第２の光ピックアップ１１ｂは、更には、図９に示すように、記録及び／又は再生装置に組み付けるための第２のベースユニット２１ｂに取り付けられる。この第２のベースユニット２１ｂは、記録及び／又は再生装置の筐体に組み付けられるベース２２ｂを有し、このベース２２ｂに、第２の光ピックアップ１１ｂが組み付けられるスライド部材２３ｂと、第１の光ピックアップ１１ａが組み付けられたスライド部材２３ｂを光ディスクの径方向に送り操作する送り機構２４ｂとが設けられてなる。
【００４７】
スライド部材２３ａ，２４ｂは、第１の光ピックアップ１１ａ，第２の光ピックアップ１１ｂがそれぞれ取り付けられるものであり、ベース２２ａ，２２ｂに、光ディスクの径方向に沿って設けられた開口部２８ａ，２８ｂにそれぞれ配設される。このスライド部材２３ａ，２３ｂには、例えばホルダ支持部材１８ａ，１８ｂに設けられた位置決め孔にスライド部材２３ａ，２３ｂ側の位置決めピンが係合され、接着剤により第１の光ピックアップ１１ａ，第２の光ピックアップ１１ｂを構成するホルダ支持部材１８ａ，１８ｂが高精度に位置決めされた状態で固定されることになる。
【００４８】
送り機構２４ａ，２４ｂは、例えばベース２２ａ，２２ｂにそれぞれ取り付けられる駆動モータ２６ａ，２６ｂと、この駆動モータ２６ａ，２６ｂと複数のギヤ列を介して接続される送りねじ２７ａ，２７ｂとを有する。送りねじ２７ａ，２７ｂは、第１の光ピックアップ１１ａ，第２の光ピックアップ１１ｂの移動方向、すなわち光ディスクの径方向に沿ってベース２２ａ，２２ｂに回転可能に取り付けられている。そして、送りねじ２７ａ，２７ｂは、その周面に設けられたねじ溝に、第１の光ピックアップ１１ａ，第２の光ピックアップ１１ｂが取り付けられるスライド部材２３ａ，２３ｂの係合突起が係合される。これによって、第１の光ピックアップ１１ａ，第２の光ピックアップ１１ｂがそれぞれ取り付けられたスライド部材２３ａ，２３ｂは、送りねじ２７ａ，２７ｂが駆動モータ２６ａ，２６ｂによってそれぞれ回転されることによって、光ディスクの径方向に移動する。
【００４９】
また、ディスク回転駆動機構２５は、図６に示すように、第１の光ピックアップ１１ａが取り付けられたベース２２ａの裏面側に配設された駆動モータ２９と、この駆動モータ２９の駆動軸に取り付けられるディスクテーブル３０とを有する。ディスクテーブル３０は、調整用光ディスク１のセンタ孔に係合することによって調整用光ディスク１をセンタリングし、調整用光ディスク１を一体的に回転する。駆動モータ２９は、調整用光ディスク１の再生時、線速度が例えばＤＶＤ規格で規定された３．４９ｍ／ｓｅｃとなるように調整用光ディスク１を回転する。
【００５０】
なお、図６に示すように、第１の光ピックアップ１１ａが取り付けられた第１のベースユニット２１ａのベース２２ａと第２の光ピックアップ１１ｂが取り付けられた第２のベースユニット２１ｂのベース２２ｂとは、ベース保持部材２２ｃを介して固定されている。
【００５１】
ところで、第１のベースユニット２１ａ，第２のベースユニット２１ｂに組み付けられた第１の光ピックアップ１１ａ，第２の光ピックアップ１１ｂの調整を行う調整装置４１は、図６に示すように、ベース支持部材２２ｃに第１の光ピックアップ１１ａが組み付けられた第１のベースユニット２１ａ，第２の光ピックアップ１１ｂが組みつけられた第２のベースユニット２１ｂが、それぞれ位置決めされた状態で保持される。この調整装置４１には、図７に示すように、第１の光ピックアップ１１ａ，第２の光ピックアップ１１ｂのホルダ支持部材１８ａ，１８ｂを保持し、対物レンズ１３ａ，１３ｂの位置を調整する対物レンズ調整機構４２ａ，４２ｂと、ベース２２ａ，２２ｂを保持するベース保持機構４３ａ，４３ｂと、スライド部材２３ａ，２３ｂを保持するスライド部材保持機構４４ａ，４４ｂと、光源１２ａ，１２ｂを保持して光源１２ａ，１２ｂの位置を調整する光源調整機構４５ａ，４５ｂと、光検出器１４ａ，１４ｂを保持して光検出器１４ａ，１４ｂの位置を調整する光検出器調整機構４６ａ，４６ｂと、光源１２ａ，１２ｂより出射された光ビームの光学特性を検出するための図示しない検出機構とを備える。
【００５２】
第１のベースユニット２１ａ，第２のベースユニット２１ｂを保持するベース支持部材２２ｃは、ベース２２ａ，２２ｂを位置決めする位置決め軸が複数立設されており、これら位置決め軸がベース２２ａ，２２ｂに設けられた位置決め孔に係合することによって、ベース２２ａ，２２ｂを位置決めした状態で保持する。
【００５３】
対物レンズ調整機構４２ａ，４２ｂは、ホルダ支持部材１８ａ，１８ｂを保持する一対の保持アームを有し、調整時、一対の保持アームによってホルダ支持部材１８ａ，１８ｂを保持する。そして、ホルダ支持部材１８ａ，１８ｂを保持した一対の保持アームは、ホルダ支持部材１８ａ，１８ｂを保持した状態で、調整用光ディスク１の径方向に平行なラジアル方向（Ｘ方向）と調整用光ディスク１の径方向に直交するタンジェンシャル方向（Ｙ方向）に平行移動させる。また、一対の保持アームは、ホルダ支持部材１８ａ，１８ｂを保持した状態で、対物レンズ１３ａ，１３ｂを光軸に対してラジアル方向に傾斜させるラジアルスキューと対物レンズ１３ａ，１３ｂを光軸に対してタンジェンシャル方向に傾斜させるタンジェンシャルスキューの調整を行う。また、一対の保持アームは、光源１２ａ，１２ｂと調整用光ディスク１までの光路長を調整するため、対物レンズ１３ａ，１３ｂを光軸方向に移動する。かくして、ホルダ支持部材１８ａ，１８ｂは、一対の保持アームによって、調整用光ディスク１と平行な平面方向、この平面に直交する対物レンズ１３ａ，１３ｂの光軸方向、更には対物レンズ１３ａ，１３ｂの傾きの調整が高精度に行われる。このとき、ホルダ支持部材１８ａ，１８ｂは、スライド部材２３ａ、２３ｂに対して僅かに浮上した状態となり、スライド部材２３ａ，２３ｂとホルダ支持部材１８ａ，１８ｂとの間に形成される間隙に接着剤が充填されることにより、スライド部材２３ａ，２３ｂに対して高精度に位置決めされた状態で固定される。
【００５４】
ベース保持機構４３ａ，４３ｂは、ベース２２ａ，２２ｂに設けられた送り機構２４ａ，２４ｂを構成する送りねじ２７ａ，２７ｂを保持する一対の保持アームを有する。一対の保持アームは、第１の光ピックアップ１１ａ，第２の光ピックアップ１１ｂの調整を行うとき、送りねじ２７ａ，２７ｂの両端部を送りねじ２７ａ，２７ｂが撓み変形しないように保持し第１の光ピックアップ１１ａ，第２の光ピックアップ１１ｂの調整位置がずれないようにしている。
【００５５】
スライド部材保持機構４４ａ，４４ｂは、スライド部材２３ａ，２３ｂが送りねじ２７ａ，２７ｂに沿って移動しないようにするための位置決めピンが複数有しており、第１の光ピックアップ１１ａ，第２の光ピックアップ１１ｂの調整時に、これら位置決めピンがスライド部材２３ａ，２３ｂに設けられた位置決め孔に係合することによって、スライド部材２３ａ，２３ｂを、調整用光ディスク１の径方向の所定位置に高精度に位置決めした状態で保持する。
【００５６】
光源調整機構４５ａ，４５ｂは、第１の光ピックアップ１１ａ内，第２の光ピックアップ１１ｂ内に配設された光源１２ａ，１２ｂを保持する光源保持アームを有する。光源保持アームは、第１の光ピックアップ１１ａ，第２の光ピックアップ１１ｂの調整時に、光源１２ａ，１２ｂを位置決めした状態で保持し、光源１２ａ，１２ｂの中心が対物レンズ１３ａ，１３ｂの光軸上の不動点に一致するように移動する。また、光源保持アームは、光源１２ａ，１２ｂの発光点を中心として光源１２ａ，１２ｂを回動する。更に、光源保持アームは、光源１２ａ，１２ｂと調整用光ディスク１までの光路長を調整するため、対物レンズ１３ａ，１３ｂの光軸方向に移動する。
【００５７】
光検出器調整機構４６ａ，４６ｂは、第１の光ピックアップ１１ａ内に配設された光検出器１４ａ，１４ｂを保持する光検出器保持アームを有する。光検出器保持アームは、第１の光ピックアップ１１ａ，第２の光ピックアップ１１ｂの調整時に、光検出器１４ａ，１４ｂを位置決めした状態で保持し、光検出器１４ａ，１４ｂの中心が対物レンズ１３ａ，１３ｂの光軸上の不動点に一致するように移動する。また、光検出器保持アームは、光検出器１４ａ，１４ｂを回動する。更に、光検出器保持アームは、光路長を調整するため、光軸方向に光検出器１４ａ，１４ｂを移動する。
【００５８】
検出機構は、対物レンズ１３ａ，１３ｂから出射される光ビームを検出する図示しないＣＣＤ（Ｃｈａｒｇｅ−Ｃｏｕｐｌｅｄ　Ｄｅｖｉｃｅｓ）カメラと、コマ収差を検出する図示しないコマ収差判定部とを有している。ＣＣＤカメラは、移動機構によって対物レンズ１３ａ，１３ｂの光軸上に位置され、光ビームを検出し、検出結果をコマ収差判定部に出力する。そして、コマ収差判定部は、コマ収差の最小値を検出する。
【００５９】
また、図１０に示すように、調整装置４１は、各光ピックアップ毎の光検出器１４ａ，１４ｂから出力されるそれぞれの再生信号を検出する信号検出部５１と、この信号検出部５１に検出された信号を表示する表示部５２と、ディスク回転駆動機構２５を構成する駆動モータ２９を制御する駆動制御部５３と、第１の光ピックアップ１１ａ，第２の光ピックアップ１１ｂの送り機構２４ａ，２４ｂを構成する駆動モータ２６ａ，２６ｂを制御する駆動制御部５４ａ，５４ｂと、光源１２ａ，１２ｂの光ビームの出力を制御する出力制御部５５ａ，５５ｂと、全体の動作を制御するコントローラ５６とを備えている。コントローラ５６は、コマ収差判定部からの判定結果や信号検出部５１からの入力に基づいて、駆動制御部５３，５４ａ，５４ｂ、出力制御部５５ａ，５５ｂ、更には、対物レンズ調整機構４２ａ，４２ｂ、光源調整機構４５ａ，４５ｂ、光検出器調整機構４６ａ，４６ｂ等の制御を行う。
【００６０】
更には、調整装置４１は、信号検出部５１で検出された信号を、復調する復調部５７と、復調されたデータのエラー訂正処理を行うエラー訂正処理部５８とを有する。この調整装置４１には、図１、図４及び図５に示した調整用光ディスク１が用いられ、この調整用光ディスク１には、第１の信号記録層５と第２の信号記録層７に８−１６変調方式で、エラー訂正符号としてＲＳ−ＰＣが付加された調整用のデータが記録されている。すなわち、第１の信号記録層５と第２の信号記録層７には、同一の変調方式で変調され、また、同一の方式のエラー訂正符号化処理が施されたデータが記録されている。したがって、復調部５７は、第１の信号記録層５と第２の信号記録層７とから読み出された８−１６変調されたデータの復調処理を行い、エラー訂正処理部５８は、復調されたデータのＲＳ−ＰＣに基づいてエラー訂正処理を行う。そして、例えばエラー訂正処理部５８は、エラーレートを検査するための検査装置等に出力する。
【００６１】
以上のように構成された調整装置４１及び調整用光ディスク１を用いた第１の光ピックアップ１１ａ，第２の光ピックップ１１ｂのそれぞれの光源１２ａ，１２ｂと対物レンズ１３ａ，１３ｂとの相対位置並びに対物レンズ１３ａ，１３ｂの光軸に対する位置及び傾きを調整する方法について説明する。
【００６２】
先ず、第１のベースユニット２１ａ，第２のベースユニット２１ｂは、ベース支持部材２２ｃにそれぞれ設置される。このとき、第１のベースユニット２１ａ，第２のベースユニット２１ｂは、ベース２２ａ，２２ｂに設けられた位置決め孔に位置決め軸が係合されることによって、ベース支持部材２２ｃに高精度に位置決めされた状態で保持される。また、スライド部材保持機構４４ａ，４４ｂは、位置決めピンがスライド部材２３ａ，２３ｂに設けられた位置決め孔に係合することによって、スライド部材２３ａ，２３ｂを、調整用光ディスク１の径方向の所定位置に高精度に位置決めした状態で保持する。更には、ベース保持機構４３ａ，４３ｂは、一対の保持アームで送りねじ２７ａ，２７ｂを回転しないように保持し、第１の光ピックアップ１１ａ，第２の光ピックアップ１１ｂが調整位置よりずれないようにしている。そして、調整装置４１には、第１の光ピックアップ１１ａ，第２の光ピックアップ１１ｂが、ベース２２ａ，２２ｂ上に送りねじ２７ａ，２７ｂを介して移動可能に組み付けられたスライド部材２３ａ，２３ｂ上に載置されて組み合わされる。
【００６３】
スライド部材２３ａ，２３ｂ上に載置された第１の光ピックアップ１１ａ，第２の光ピックアップ１１ｂのホルダ支持部材１８ａ，１８ｂは、対物レンズ調整機構４２，４２ｂの一対の保持アームによって保持されることにより、スライド部材２３ａ，２３ｂに対して、対物レンズ１３ａ，１３ｂの位置が３次元的に位置決めされる。また、光源１２ａ，１２ｂは、光源調整機構４５ａ，４５ｂを構成する光源保持アームに保持され、また、光検出器１４ａ，１４ｂは、受光部保持機構４６ａ，４６ｂを構成する光検出器保持アームに保持される。
【００６４】
そして、調整装置４１は、先ず、第１の光ピックアップ１１ａの光源１２ａと対物レンズ１３ａとの位置調整を行う。すなわち、図１１に示すように、コントローラ５６は、ステップＳ１において、光源１２ａよりＤＶＤ用の波長が６３５〜６５０ｎｍの光ビームを出射するように出力制御部５５ａを制御する。これによって、光源１２ａからは、ＤＶＤ用の波長が６３５〜６５０ｎｍの光ビームが出射される。なお、このとき、調整用光ディスク１は、ディスク回転駆動機構２５を構成するディスクテーブル３０に装着されていない。
【００６５】
ステップＳ２において、コントローラ５６は、光源１２ａに対する対物レンズ１３ａの調整、すなわち対物レンズ１３ａの位置を設計上の光軸に合わせる調整を行う。具体的に、ホルダ支持部材１８ａを保持した対物レンズ調整機構４２ａは、コントローラ５６の制御に基づいて、ホルダ支持部材１８ａを保持した保持アームを駆動制御することによって、対物レンズ１３ａをラジアル方向（Ｘ方向）とタンジェンシャル方向（Ｙ方向）に移動すると共に、光源１２ａを保持している光源調整機構４５ａは、光源１２ａの中心が対物レンズ１３ａの光軸上の不動点に一致するように移動する。かくして、調整装置４１は、光源１２ａと対物レンズ１３ａの位置を移動し、対物レンズ１３ａの位置を設計上の光軸に合わせる調整を行う。
【００６６】
ステップＳ３において、コントローラ５６は、コマ収差を最小化する処理を行う。すなわち、対物レンズ調整機構４２ａは、ホルダ支持部材１８ａを保持した保持アームをコントローラ５６の制御に基づいて駆動制御することによって、対物レンズ１３ａのラジアルスキューと対物レンズ１３ａのタンジェンシャルスキューの調整を行い、対物レンズ１３ａの光軸に対する傾きを調整することによってコマ収差を最小化する。すなわち、図示しない検出機構は、ＣＣＤカメラ等により対物レンズ１３ａで集光された光ビームを検出し、コマ収差判定部によりコマ収差を判定し、この判定に基づいて対物レンズ調整機構４２ａをコマ収差が最小となるように駆動制御する。そして、コマ収差の最小値を検出したとき、コントローラ５６は、コマ収差が最小となった対物レンズ１３ａの位置を維持するように対物レンズ調整機構４２ａを駆動する。
【００６７】
かくして、第１の光ピックアップ１１ａは、対物レンズ１３ａの位置が設計上の光軸と一致するように調整され、そして、コマ収差が最小となるように、対物レンズ１３ａの傾きが調整され、光源１２ａと対物レンズ１３ａの相対的位置の調整が行われる。
【００６８】
次に、調整装置４１は、第２の光ピックアップ１１ｂの光源１２ｂと対物レンズ１３ｂとの位置調整を行う。すなわち、コントローラ５６は、ステップＳ４において、光源１２ｂよりＤＶＤ用の波長が６３５〜６５０ｎｍの光ビームを出射するように出力制御部５５ｂを制御する。これによって、光源１２ｂからは、ＤＶＤ用の波長が６３５〜６５０ｎｍの光ビームが出射される。なお、このとき、調整用光ディスク１は、ディスク回転駆動機構２５を構成するディスクテーブル３０に装着されていない。
【００６９】
ステップＳ５において、コントローラ５６は、光源１２ｂに対する対物レンズ１３ｂの調整、すなわち対物レンズ１３ｂの位置を設計上の光軸に合わせる調整を行う。具体的に、ホルダ支持部材１８ｂを保持した対物レンズ調整機構４２ｂは、コントローラ５６の制御に基づいて、ホルダ支持部材１８ｂを保持した保持アームを駆動制御することによって、対物レンズ１３ｂをラジアル方向（Ｘ方向）とタンジェンシャル方向（Ｙ方向）に移動すると共に、光源１２ｂを保持している光源調整機構４５ｂは、光源１２ｂの中心が対物レンズ１３ｂの光軸上の不動点に一致するように移動する。かくして、調整装置４１は、光源１２ｂと対物レンズ１３ｂの位置を移動し、対物レンズ１３ｂの位置を設計上の光軸に合わせる調整を行う。
【００７０】
ステップＳ６において、コントローラ５６は、コマ収差を最小化する処理を行う。すなわち、対物レンズ調整機構４２ｂは、ホルダ支持部材１８ｂを保持した保持アームをコントローラ５６の制御に基づいて駆動制御することによって、対物レンズ１３ｂのラジアルスキューと対物レンズ１３ｂのタンジェンシャルスキューの調整を行い、対物レンズ１３ｂの光軸に対する傾きを調整することによってコマ収差を最小化する。すなわち、図示しない検出機構は、ＣＣＤカメラ等により対物レンズ１３ｂで集光された光ビームを検出し、コマ収差判定部によりコマ収差を判定し、この判定に基づいて対物レンズ調整機構４２ｂをコマ収差が最小となるように駆動制御する。そして、コマ収差の最小値を検出したとき、コントローラ５６は、コマ収差が最小となった対物レンズ１３ｂの位置を維持するように対物レンズ調整機構４２ｂを駆動する。
【００７１】
かくして、第２の光ピックアップ１１ｂは、対物レンズ１３ｂの位置が設計上の光軸と一致するように調整され、そして、コマ収差が最小となるように、対物レンズ１３ｂの傾きが調整され、光源１２ｂと対物レンズ１３ｂの相対的位置の調整が行われる。
【００７２】
ステップＳ７において、ベース支持部材２２ｃに設置されたベース２２ａに設けられたディスク回転駆動機構２５を構成するディスクテーブル３０には、調整用光ディスク１が装着され、コントローラ５６の制御に基づいて、駆動制御部５３は、調整用光ディスク１の所定方向へ回転時の線速度が例えばＤＶＤ規格で規定された３．４９ｍ／ｓｅｃとなるように駆動モータ２９を駆動する。ここで、ディスクテーブル３０に装着される調整用光ディスク１は、図１、図４及び図５に示すように、第１の光ピックアップ１１ａの調整を行うための第１の信号記録層５と第２の光ピックアップ１１ｂの調整を行うための第２の信号記録層７とが設けられ、各信号記録層５，７に同心円状の記録トラックが設けられてなるものである。そして、図４に示す調整用光ディスク１は、第１の信号記録層５に設けられた第１の記録領域８と第２の信号記録領域７に設けられた第２の記録領域９とは、重なるように設けられ、図５に示す調整用光ディスク１は、第１の信号記録層５に設けられた第１の記録領域８と第２の信号記録領域７に設けられた第２の記録領域９とが重ならないように設けられている。また、第１の信号記録層５及び第２の信号記録層７に記録される調整用のデータは、８−１６変調された変調データが記録されている。
【００７３】
次に、ステップＳ８において、第１の光ピックアップ１１ａの調整について説明すると、先ず、図１，図４又は図５に示す調整用光ディスク１がディスクテーブル３０に装着されたとき、先ず、第１の光ピックアップ１１ａは、第１の信号記録層５の第１の記録領域８の位置まで送り操作される。すなわち、コントローラ５６は、駆動制御部５４で駆動モータ２６を駆動し、第１の記録領域８の読み出し可能位置まで第１の光ピックアップ１１ａを移動する。
【００７４】
そして、コントローラ５６は、光源１２ａより波長が６３５〜６５０ｎｍの光ビームを出射するように出力制御部５５ａを制御する。これによって、光源１２ａからは、ＤＶＤ用の波長が６３５〜６５０ｎｍの光ビームが出射され、光検出器１４ａは、調整用光ディスク１の第１の信号記録層５で反射された戻りの光ビームを検出する。
【００７５】
ステップＳ９において、調整装置４１は、光検出器１４ａの位置を設計上の光軸の位置に合わせる粗調整を行う。このとき、コントローラ５６は、対物レンズ駆動部１６ａを、フォーカシング制御とトラッキング制御がオフとなるように制御する。この状態で、光検出器１４ａを保持している光検出器調整機構４６ａは、コントローラ５６の制御に基づいて、光検出器１４ａを保持している光検出器保持アームを移動し、光検出器１４ａの位置を設計上の光軸の位置に合わせる粗調整を行う。
【００７６】
ステップＳ１０において、調整装置４１は、光源１２ａ、すなわち光ビームの発光点から調整用光ディスク１までの光路長を最適化するための粗調整を行う。このとき、コントローラ５６は、対物レンズ駆動部１６ａを、第１の信号記録層５に合焦させるためフォーカシング制御をオンとし、トラッキング制御をオフの状態とする。なお、このフォーカシング制御は、例えば非点収差法により行われる。そして、コントローラ５６は、対物レンズ１３ａを保持している対物レンズ調整機構４２ａ、光源１２ａを保持している光源調整機構４５ａ、更には光検出器１４ａを保持している光検出器調整機構４６ａを制御し、光ビームの発光点から調整用光ディスク１までの光路長を最適化するための粗調整を行う。
【００７７】
ステップＳ１１において、調整装置４１は、光検出器１４ａの位置を設計上の光軸の位置に合わせる精調整を行う。このとき、コントローラ５６は、対物レンズ駆動部１６ａを、光ビームが第１の信号記録層５に合焦した状態で同心円状の記録トラックを走査できるようにフォーカシング制御とトラッキング制御が共にオンとなるように制御する。なお、トラッキング制御は、例えばプッシュプル法やＤＰＤ（ｄｉｆｆｅｒｅｎｔｉａｌ　ｐｈａｓｅ　ｄｅｔｅｃｔｉｏｎ）法等により行われる。この状態で、光検出器１４ａを保持している光検出器調整機構４６ａは、コントローラ５６の制御に基づいて、光検出器１４ａを保持している光検出器保持アームを移動し、光検出器１４ａの位置を設計上の光軸の位置に合わせる精調整を行う。
【００７８】
ステップＳ１２において、調整装置４１は、光源１２ａ、すなわち光ビームの発光点から調整用光ディスク１までの光路長を最適化するための精調整を行う。このとき、コントローラ５６は、対物レンズ駆動部１６ａを、光ビームが第１の信号記録層５に合焦した状態で同心円状の記録トラックを走査できるようにフォーカシング制御とトラッキング制御が共にオンとなるように制御する。そして、コントローラ５６は、対物レンズ１３ａを保持している対物レンズ調整機構４２ａ、光源１２ａを保持している光源調整機構４５ａ、更には光検出器１４ａを保持している光検出器調整機構４６ａを制御し、光ビームの発光点から調整用光ディスク１までの光路長を最適化するための精調整を行う。
【００７９】
次に、調整装置４１は、スキュー調整を行う。ここで、スキュー調整は、ＤＶＤの傾き許容度を満たすように調整が行われる。
【００８０】
そして、ステップＳ１３において、コントローラ５６は、信号検出部５１で生成されたジッター値が最小となるように、対物レンズ調整機構４２ｂを駆動する。
【００８１】
ステップＳ１４において、調整装置４１は、第１の光ピックアップ１１ａにおけるＤＶＤ再生時の光学特性の確認を行う。例えば、調整装置４１は、第１の信号記録層５で反射された戻りの光ビームを検出した光検出器１４ａからの出力によって信号検出部５１が生成するＲＦ信号が最適値となるように出力制御部５５ａを制御し、光源１２ａの出力レベルの調整確認等を行う。
【００８２】
この後、第１の光ピックアップ１１ａの光学的な調整の終了した調整装置４１は、例えば第１の光ピックアップ１１ａのエラーレートの検査等を行う。
【００８３】
次に、調整装置４１は、第２の信号記録層７を再生する第２の光ピックアップ１１ｂの調整を行う。ここで、ディスクテーブル３０に、図４に示す調整用光ディスク１、すなわち第１の信号記録層５の第１の記録領域８と第２の信号記録層７の第２の記録領域９が重なっている光ディスクが装着されているときには、ステップＳ１５において、コントローラ５６は、第１の光ピックアップ１１ａの光源１２ａからの出射を止め、第２の光ピックアップ１１ｂの光源１２ｂから光ビームを出射するように切換を行う。すなわち、出力制御部５５ｂは、ＤＶＤ用の６３５〜６５０ｎｍの光ビームを出射するように光源１２ｂを制御する。そして、光検出器１４ｂは、調整用光ディスク１の第２の信号記録層７で反射された戻りの光ビームを受光する。なお、この調整用光ディスク１がディスクテーブル３０に装着されているときには、スライド部材２３ｂに取り付けられた第２の光ピックアップ１１ｂは送り操作されない。
【００８４】
また、ディスクテーブル３０に図５に示す調整用光ディスク１、すなわち第１の信号記録層５の第１の記録領域８と第２の信号記録層７の第２の記録領域９が重ならないように設けられた光ディスクが装着されているときには、第１の記録領域８を読み出すことができる位置まで第２の光ピックアップ１１ｂが組み込まれているスライド部材２３ｂを調整用光ディスク１の径方向に送り操作する。この後、コントローラ５６は、第１の光ピックアップ１１ａの光源１２ａからの出射を止め、第２の光ピックアップ１１ｂの光源１２ｂから光ビームを出射するように切換を行う。すなわち、出力制御部５５ｂは、ＤＶＤ用の６３５〜６５０ｎｍの光ビームを出射するように光源１２ｂを制御する。そして、光検出器１４ｂは、調整用光ディスク１の第２の信号記録層７で反射された戻りの光ビームを受光する。
【００８５】
ステップＳ１６において、調整装置４１は、光検出器１４ｂの位置を設計上の光軸の位置に合わせる粗調整を行う。このとき、コントローラ５６は、対物レンズ駆動部１６ｂを、フォーカシング制御とトラッキング制御がオフとなるように制御する。この状態で、光検出器１４ｂを保持している光検出器調整機構４６ｂは、コントローラ５６の制御に基づいて、光検出器１４ｂを保持している光検出器保持アームを移動し、光検出器１４ｂの位置を設計上の光軸の位置に合わせる粗調整を行う。
【００８６】
ステップＳ１７において、調整装置４１は、光源１２ｂ、すなわち光ビームの発光点から調整用光ディスク１までの光路長を最適化するための粗調整を行う。このとき、コントローラ５６は、対物レンズ駆動部１６ｂを、第２の信号記録層７に合焦させるためフォーカシング制御をオンとし、トラッキング制御をオフの状態とする。なお、このフォーカシング制御は、例えば非点収差法により行われる。そして、コントローラ５６は、対物レンズ１３ｂを保持している対物レンズ調整機構４２ｂ、光源１２ｂを保持している光源調整機構４５ｂ、更には光検出器１４ｂを保持している光検出器調整機構４６ｂを制御し、光ビームの発光点から調整用光ディスク１までの光路長を最適化するための粗調整を行う。
【００８７】
ステップＳ１８において、調整装置４１は、光検出器１４ｂの位置を設計上の光軸の位置に合わせる精調整を行う。このとき、コントローラ５６は、対物レンズ駆動部１６ｂを、光ビームが第２の信号記録層７に合焦した状態で同心円状の記録トラックを走査できるようにフォーカシング制御とトラッキング制御が共にオンとなるように制御する。なお、トラッキング制御は、例えばプッシュプル法やＤＰＤ法等により行われる。この状態で、光検出器１４ｂを保持している光検出器調整機構４６ｂは、コントローラ５６の制御に基づいて、光検出器１４ｂを保持している光検出器保持アームを移動し、光検出器１４ｂの位置を設計上の光軸の位置に合わせる精調整を行う。
【００８８】
ステップＳ１９において、調整装置４１は、光検出器１４ｂの位置を設計上の光軸の位置に合わせる精調整を行う。このとき、コントローラ５６は、対物レンズ駆動部１６ｂを、光ビームが第２の信号記録層７に合焦した状態で同心円状の記録トラックを走査できるようにフォーカシング制御とトラッキング制御が共にオンとなるように制御する。そして、コントローラ５６は、対物レンズ１３ｂを保持している対物レンズ調整機構４２ｂ、光源１２ｂを保持している光源調整機構４５ｂ、更には光検出器１４ｂを保持している光検出器調整機構４６ｂを制御し、光ビームの発光点から調整用光ディスク１までの光路長を最適化するための精調整を行う。
【００８９】
次に、調整装置４１は、スキュー調整を行う。ここで、スキュー調整は、ＤＶＤの傾き許容度を満たすように調整が行われる。
【００９０】
コントローラ５６は、スライダー保持機構４４ｂを制御し、第２の記録領域９を読み出すことができる位置まで第２の光ピックアップ１１ｂが組み込まれているスライド部材２３ｂを調整用光ディスク１の径方向に送り操作する。
【００９１】
そして、ステップＳ２０において、コントローラ５６は、信号検出部５１で生成されたジッター値が最小となるように、対物レンズ調整機構４２ｂを駆動する。
【００９２】
ステップＳ２１において、調整装置４１は、第２の光ピックアップ１１ｂにおけるＤＶＤ再生時の光学特性の確認を行う。例えば、調整装置４１は、第２の信号記録層７で反射された戻りの光ビームを検出した光検出器１４ｂからの出力によって信号検出部５１が生成するＲＦ信号が最適値となるように出力制御部５５ｂを制御し、光源１２ｂの出力レベルの調整確認等を行う。
【００９３】
この後、第２の光ピックアップ１１ｂの光学的な調整の終了した調整装置４１は、例えば第２の光ピックアップ１１ｂのエラーレートの検査等を行う。
【００９４】
かくして、光学特性の調整が終了した第１の光ピックアップ１１ａ，第２の光ピックアップ１１ｂは、それぞれスライド部材２３ａ，２３ｂに接着剤で固定され、光ディスクの記録及び／又は再生装置に装着される。
【００９５】
以上のように、第１の光ピックアップ１１ａ，第２の光ピックアップ１１ｂの調整は、各信号記録層５，７に同心円状に且つ互いに逆方向にデータが記録された調整用光ディスク１を用いることにより、従来のように調整用光ディスクの回転を停止させることなく円滑に行うことができる。
【００９６】
また、この調整は、調整用光ディスク１の第１の信号記録層５と第２の信号記録層７の両方に、同心円状の記録トラックが設けられていることから、時間の経過とともに対物レンズ１３ａ，１３ｂの光軸が調整用光ディスク１の内周側から外周側に移動することが無くなり、対物レンズ１３ａ，１３ｂの光軸が光ビームの中心に対して常に一致した状態で調整することができる。
【００９７】
更に、図４に示す調整用光ディスク１、すなわち第１の信号記録層５の第１の記録領域８と第２の信号記録層７の第２の記録領域９とが重なるような調整用光ディスク１が装着されているときには、第１の光ピックアップ１１ａの調整と第２の光ピックアップ１１ｂの調整とを切り換えるときに、第１の光ピックアップ１１ａおよび第２の光ピックアップ１１ｂが同期してトラッキング制御されることにより、第２の光ピックアップ１１ｂは、すでにオントラックとなるために、円滑に切換を行うことができる。
【００９８】
なお、上述では、第１の光ピックアップ１１ａを調整した後に、調整用光ディスク１の回転を停止させずに第２の光ピックアップ１１ｂを調整する構成を記載したが、第１の光ピックアップ１１ａ及び第２の光ピックアップ１１ｂを同時に調整するようにしてもよい。この際に、調整用光ディスク１は、第２の信号記録層７の記録トラックに第１の信号記録層５記録トラックに対して逆方向にデータが記録されていなければならない。
【００９９】
この場合には、光検出部１４ａ，１４ｂからのそれぞれの出力を個別に処理して、第１の光ピックアップ１１ａ及び第２の光ピックアップ１１ｂをコントローラ５６により同時に制御することができるようにする必要がある。この場合は、信号検出部を第１の光ピックアップ１１ａ及び第２の光ピックアップ１１ｂに対応させて信号検出部等をそれぞれ設けることとなる。
【０１００】
このように、第１の光ピックアップ１１ａ及び第２の光ピックアップ１１ｂを同時に調整することができるようにした場合には、更に調整時間を短縮することができるため、非常に短時間で一対の光ピックアップの調整を行うことができるようになる。
【０１０１】
なお、上述したステップＳ８〜ステップＳ１４における第１の光ピックアップ１１ａの調整と、ステップＳ１５〜ステップＳ１９における第２の光ピックアップ１１ｂの調整とは、図１１に示す例に限定されるものではなく、第１の光ピックアップ１１ａと第２の光ピックアップ１１ｂとのうち、調整する順番を切替えてもよい。
【０１０２】
また、第１の光ピックアップ１１ａ，第２の光ピックアップ１１ｂがレーザカプラで構成されているときには、対物レンズ１３ａ，１３ｂを除く部品が一体化されていることから、ステップＳ１〜ステップＳ６のコマ収差の調整を行った後、少なくともステップＳ８〜ステップＳ１２，ステップＳ１５〜ステップＳ１９で行う調整を省略するようにしてもよい。すなわち、第１の光ピックアップ１１ａ，第２の光ピックアップ１１ｂがレーザカプラで構成されているときには、対物レンズ１３ａ，１３ｂの位置調整を行うだけでよい。
【０１０３】
更に、上述では、第１の光ピックアップ１１ａを調整した後に、調整用光ディスク１の回転を停止させずに第２の光ピックアップ１１ｂを調整する構成を記載したが、第１の光ピックアップ１１ａ及び第２の光ピックアップ１１ｂを同時に調整するようにしてもよい。
【０１０４】
この場合には、光検出部１４ａ，１４ｂからのそれぞれの出力を個別に処理して、第１の光ピックアップ１１ａ及び第２の光ピックアップ１１ｂをコントローラ５６により同時に制御することができるようにする必要がある。この場合は、第１の光ピックアップ１１ａ及び第２の光ピックアップ１１ｂに対応させて信号検出部等をそれぞれ設けることとなる。
【０１０５】
このように、第１の光ピックアップ１１ａ及び第２の光ピックアップ１１ｂを同時に調整することができるようにした場合には、更に調整時間を短縮することができるため、非常に短時間で一対の光ピックアップの調整を行うことができるようになる。
【０１０６】
【発明の効果】
本発明は、両面が信号記録面とされ、各面の信号記録層には記録トラックが同心円状に設けられ、この各信号記録層に対して各面側からレーザ光を照射されるようになっているため、一組の光ピックアップに対して、時間の経過とともにそれぞれの対物レンズの光軸が調整用光ディスクの内周側から外周側に移動することが無くなり、対物レンズの光軸が光ビームの中心に対して常に一致した状態で調整することができる。
【０１０７】
また、本発明は、一方の信号記録層に設けられた記録トラックに対して、他方の信号記録層に設けられた記録トラックのデータの記録方向が逆方向となっているため、従来のように調整用光ディスクの回転を停止させることなく連続的に一対の光ピックアップの調整を行うことができ、一組の光ピックアップの調整工程の迅速化を図ることができる。
【図面の簡単な説明】
【図１】本発明が適用された光ピックアップの調整用の光ディスクの斜視図である。
【図２】第１のディスク基板側から見た第１の信号記録層を説明する図である。
【図３】第２のディスク基板側から見た第２の信号記録層を説明する図である。
【図４】第１の信号記録層の第１の記録領域と第２の信号記録層の第２の記録領域とが重なるように設けられた調整用の光ディスクの断面図である。
【図５】第１の信号記録層の第１の記録領域と第２の信号記録層の第２の記録領域とが重ならないように設けられた調整用の光ディスクの断面図である。
【図６】光ピックアップの調整装置の構成を説明する図である。
【図７】第１の光ピックアップ及び第２の光ピックアップの構成を説明する図である。
【図８】第１のベースユニットの構成を説明する図である。
【図９】第２のベースユニットの構成を説明する図である。
【図１０】光ピックアップの調整装置における信号処理及び各機構の制御を説明する図である。
【図１１】光ピックアップの調整方法を説明するフローチャートである。
【符号の説明】
１　調整用光ディスク、２　第１のディスク基板、３　第２のディスク基板、４　接着剤、５　第１の信号記録層、７　第２の信号記録層、８　第１の記録領域、９　第２の記録領域、１１ａ　第１の光ピックアップ、１１ｂ　第２の光ピックアップ、１２ａ，１２ｂ　光源、１３ａ，１３ｂ　対物レンズ、１４ａ，１４ｂ　光検出器、１５ａ，１５ｂ　ビームスプリッタ、１６ａ，１６ｂ　対物レンズ駆動部、１７ａ，１７ｂ　レンズホルダ、１８ａ，１８ｂ　ホルダ支持部材、２１ａ　第１のベースユニット、２１ｂ　第２のベースユニット、２２ａ，２２ｂ　ベース、２３ａ，２３ｂ　スライド部材、２４ａ，２４ｂ　送り機構、２５　ディスク回転駆動機構、２６　駆動モータ、２７ａ，２７ｂ　送りねじ、２８　開口部、２９　駆動モータ、３０　ディスクテーブル、４１　調整装置、４２ａ，４２ｂ　対物レンズ調整機構、４３ａ，４３ｂ　ベース保持機構、４４ａ，４４ｂ　スライド部材保持機構、４５ａ，４５ｂ　光源調整機構、４６ａ，４６ｂ　光検出器調整機構、５１　信号検出部、５２　表示部、５３　駆動制御部、５４ａ，５４ｂ　駆動制御部、５５ａ，５５ｂ　出力制御部、５６　コントローラ、５７　復調部、５８　エラー訂正処理部
【図１】
2004039024.tif 000003
【図２】
2004039024.tif 000004
【図３】
2004039024.tif 000005
【図４】
2004039024.tif 000006
【図５】
2004039024.tif 000007
【図６】
2004039024.tif 000008
【図７】
2004039024.tif 000009
【図８】
2004039024.tif 000010
【図９】
2004039024.tif 000011
【図１０】
2004039024.tif 000012
【図１１】
2004039024.tif 000013